【手続補正書】
【提出日】平成19年4月26日(2007.4.26)
【手続補正１】
【補正対象書類名】明細書
【補正対象項目名】請求項３
【補正方法】変更
【補正の内容】
【請求項３】  未定着像を加熱及び加圧して記録媒体に少なくとも定着させる装置であって、
少なくとも導電層を有し周回移動する加熱用ベルトと、
この加熱用ベルトをそのベルト内周面側から支持する支持体と、
この支持体に前記加熱用ベルトを押し付けてそのベルト外周面との間で前記未定着像と記録媒体とを圧接させるニップ部を形成する加圧体と、
前記加熱用ベルトと対向するように配設される励磁コイルとこの励磁コイルに交流電圧を印加する交流電源からなり、そのベルトを前記ニップ部に達する上流側の位置で電磁誘導加熱する電磁誘導加熱手段とを備えた加熱加圧装置において、
前記加熱用ベルトを挟んで前記励磁コイルと対向する側の位置に非電磁誘導加熱性の磁束収集部材を配設したことを特徴とする加熱加圧装置。
【手続補正２】
【補正対象書類名】明細書
【補正対象項目名】請求項８
【補正方法】変更
【補正の内容】
【請求項８】  未定着像を加熱及び加圧して記録媒体に少なくとも定着させる装置であって、
少なくとも導電層を有し周回移動する加熱用ベルトと、
この加熱用ベルトをそのベルト内周面側から支持する支持体と、
この支持体に前記加熱用ベルトを押し付けてそのベルト外周面との間で前記未定着像と記録媒体とを圧接させるニップ部を形成する加圧体と、
前記加熱用ベルトと対向するように前記支持体又は加圧体側に配設される励磁コイルとこの励磁コイルに交流電圧を印加する交流電源からなり、そのベルトを前記ニップ部の位置で電磁誘導加熱する電磁誘導加熱手段とを備えた加熱加圧装置において、
前記加熱用ベルトを挟んで前記励磁コイルと対向する側の位置に非電磁誘導加熱性の磁束収集部材を配設したことを特徴とする加熱加圧装置。
【手続補正３】
【補正対象書類名】明細書
【補正対象項目名】００１４
【補正方法】変更
【補正の内容】
【００１４】
この第１発明の加熱加圧装置によれば、加熱用ベルトは、支持体により支持されるとともに加圧体により支持体に押し付けられた状態でニップ部を形成するように周回移動し、また、ニップ部において未定着像と記録媒体が圧接される際には加熱手段により加熱された後にニップ部に達するように周回移動する。そして、未定着像は、ニップ部に達する直前及び達した時点で加熱された加熱用ベルトにより加熱されるとともにそのニップ部に達した時点で加圧体により記録媒体に加圧され、もって記録媒体に少なくとも定着される。そして、加熱用ベルトは、特にそのニップ部に達する際に、加圧体の配置により、加圧体に先に接触してから支持体に接触することになる。これにより、その加熱された加熱用ベルトは、加圧体と接してニップ部を形成し始める際には支持体に接触していないため、その熱が支持体との接触により奪われることはない。したがって、ニップ部に達する直前及び達した時点で未定着像を、加熱された加熱用ベルトによりロス（熱損失）なく十分に加熱することができる。
【手続補正４】
【補正対象書類名】明細書
【補正対象項目名】００１５
【補正方法】変更
【補正の内容】
【００１５】
次に、上記第１及び第２の目的を達成し得る本発明（第２発明）は、未定着像を加熱及び加圧して記録媒体に少なくとも定着させる装置であって、少なくとも導電層を有し周回移動する加熱用ベルトと、この加熱用ベルトをそのベルト内周面側から支持する支持体と、この支持体に前記加熱用ベルトを押し付けてそのベルト外周面との間で前記未定着像と記録媒体とを圧接させるニップ部を形成する加圧体と、前記加熱用ベルトと対向するように配設される励磁コイルとこの励磁コイルに交流電圧を印加する交流電源からなり、そのベルトを前記ニップ部に達する上流側の位置で電磁誘導加熱する電磁誘導加熱手段とを備えた加熱加圧装置において、前記加熱用ベルトを挟んで前記励磁コイルと対向する側の位置に非電磁誘導加熱性の磁束収集部材を配設したことを特徴とするものである。
【手続補正５】
【補正対象書類名】明細書
【補正対象項目名】００２３
【補正方法】変更
【補正の内容】
【００２３】
次に、上記第３の目的を達成し得る本発明（第３発明）は、未定着像を加熱及び加圧して記録媒体に少なくとも定着させる装置であって、少なくとも導電層を有し周回移動する加熱用ベルトと、この加熱用ベルトをそのベルト内周面側から支持する支持体と、この支持体に前記加熱用ベルトを押し付けてそのベルト外周面との間で前記未定着像と記録媒体とを圧接させるニップ部を形成する加圧体と、前記加熱用ベルトと対向するように前記支持体又は加圧体側に配設される励磁コイルとこの励磁コイルに交流電圧を印加する交流電源からなり、そのベルトを前記ニップ部の位置で電磁誘導加熱する電磁誘導加熱手段とを備えた加熱加圧装置において、前記加熱用ベルトを挟んで前記励磁コイルと対向する側の位置に非電磁誘導加熱性の磁束収集部材を配設したことを特徴するものである。
【手続補正６】
【補正対象書類名】明細書
【補正対象項目名】００３２
【補正方法】変更
【補正の内容】
【００３２】
この実施の形態１に係る加熱加圧装置１は、図示しない作像手段により画像情報に応じて形成される未定着トナー像Ｔを担持する記録用紙Ｐが搬送され、その未定着トナー像Ｔを加熱及び加圧して記録用紙Ｐに定着するための、電磁誘導加熱方式を利用した定着装置１０として構成したものである。そして、この定着装置１０は、基本的に、周回移動して前記未定着トナー像Ｔを加熱する加熱用ベルト２としての加熱定着ベルト１１と、加熱用ベルト２をその内周面側から支持する支持体３としてのバックアップ支持ロール１２と、同じく支持体３としての駆動ロール１３と、加熱用ベルト２をバックアップ支持ロール１２に押し付けて前記未定着トナー像Ｔと記録用紙Ｐとを圧接させるニップ部Ｎを形成する加圧体４としての加圧ロール１４と、加熱用ベルト２を前記ニップ部Ｎの上流側の位置で加熱する加熱手段５としての電磁誘導加熱装置１５とを備えている。
【手続補正７】
【補正対象書類名】明細書
【補正対象項目名】００４１
【補正方法】変更
【補正の内容】
【００４１】
そして、記録用紙Ｐは、その未定着トナー像Ｔを有する面が加熱定着ベルト１１と接するような姿勢でニップ部Ｎに送り込まれるが、この際、加熱された加熱定着ベルト１１は、先に加圧ロール１４に接触点Ｋ１で接してから支持ロール１２に接触点Ｋ２で接触した状態で周回移動する。これにより、記録用紙Ｐに担持された未定着トナー像は、そのニップ部Ｎを通過するとき、はじめにニップ部Ｎ入り口にも相当する接触点Ｋ１で加熱定着用ベルト１１の外周面と接して加熱され（厳密にはその接触点Ｋ１に至る上流側から加熱され始める）、しかる後、ニップ部Ｎの出口にも相当する接触点Ｋ２で加圧ロール１２により加熱定着ベルト１１の外周面に最も強く押し付けられて加圧される。特にニップ部Ｎに進入する際、加熱定着ベルト１１は、支持ロール１２と接触する前に未定着トナー像Ｔと接するようになるため、そのベルト１１の熱が支持ロール１２との接触により奪われてしまうことがなく、この結果、その未定着トナー像Ｔを熱損失がなく十分に加熱することができる。
【手続補正８】
【補正対象書類名】明細書
【補正対象項目名】００５１
【補正方法】変更
【補正の内容】
【００５１】
この実施の形態３に係る加熱加圧装置１は、画像形成装置の後述する作像ユニット３１側で形成される未定着トナー像Ｔを加熱及び加圧して記録用紙Ｐに転写と同時に定着するための、電磁誘導加熱方式を利用した転写同時定着装置２０として構成したものである。この転写同時定着装置２０は、基本的に、周回移動して前記未定着トナー像Ｔを担持して加熱する加熱用ベルト２としての加熱中間転写ベルト２１と、この加熱中間転写ベルト２１をその内周面側から支持する支持体３としてのバックアップ支持ロール２２と、同じく支持体３としての駆動ロール２３及びテンションロール２４と、加熱中間転写ベルト２１をバックアップ支持ロール２２に押し付けて前記未定着トナー像Ｔと記録用紙Ｐとを圧接させるニップ部Ｎを形成する加圧体４としての加圧ロール２５と、加熱中間転写ベルト２１を前記ニップ部Ｎの上流側の位置で加熱する加熱手段５としての電磁誘導加熱装置２６とを備えている。
【手続補正９】
【補正対象書類名】明細書
【補正対象項目名】０１０６
【補正方法】変更
【補正の内容】
【０１０６】
【発明の効果】
以上説明したように、本発明（第１発明）の加熱加圧装置によれば、加熱用ベルトをニップ部より上流側の位置で加熱する場合であっても、加圧体を特定の位置関係を満たすように配置することにより、その加熱用ベルトにより未定着像を少なくともニップ部において十分にかつ安定して加熱することができる。
【手続補正１０】
【補正対象書類名】明細書
【補正対象項目名】０１０７
【補正方法】変更
【補正の内容】
【０１０７】
また、本発明（第２発明）の加熱加圧装置によれば、加熱用ベルトをニップ部より上流側の位置で電磁励磁加熱する場合であっても、磁束収集体を配設することにより、その加熱用ベルトからの磁束洩れによる不具合を発生させることなく、加熱用ベルトを効率よく安定して電磁誘導加熱することができる。